(57)【要約】【課題】ウォーターハンマー現象に起因する鞘管内での内管の揺動を抑制することができ、また、内管を鞘管内に挿通する際の抵抗を従来のものより少なくできる内管揺動抑制具、この内管揺動抑制具を用いた二重管、およびこの二重管で構築された配管システムを提供する。【解決手段】鞘管２内に可撓性の内管３が遊挿されてなる二重管１において内管３内の流体圧の急激な変化に伴うウォーターハンマー現象に起因する衝撃によって内管３が揺動するのを抑制する内管揺動抑制具４であって、内管３の外周面に取着される内管取着部４１と、この内管取着部４１から突設され、内管３と鞘管２との間隙に撓んだ姿勢で介装される弾性部材からなる少なくとも一つの衝撃緩衝片４２とを備えたことを特徴とする。【選択図】  図１
2007051728.tif 000002
【特許請求の範囲】
【請求項１】
鞘管内に可撓性の内管が遊挿されてなる二重管において内管内の流体圧の急激な変化に伴うウォーターハンマー現象に起因する衝撃によって内管が揺動するのを抑制する内管揺動抑制具であって、
前記内管の外周面に取着される内管取着部と、
この内管取着部から突設され、前記内管と前記鞘管との間隙に撓んだ姿勢で介装される弾性部材からなる少なくとも一つの衝撃緩衝片と
を備えたことを特徴とする二重管における内管揺動抑制具。
【請求項２】
前記衝撃緩衝片は、前記内管取着部に一対対設されるとともに、
それぞれの前記衝撃緩衝片に、固定用穴が開口されたことを特徴とする請求項１に記載の二重管における内管揺動抑制具。
【請求項３】
請求項１又は２に記載の内管揺動抑制具が外周面に所定間隔を隔てて複数個取着された内管が鞘管内に遊挿されたことを特徴とする二重管。
【請求項４】
請求項３に記載の二重管を用いて構築されたことを特徴とする配管システム。
【発明の詳細な説明】
【技術分野】
【０００１】
本発明は、鞘管内に可撓性の内管が遊挿されてなる二重管において内管内の流体圧の急激な変化に伴うウォーターハンマー現象に起因する衝撃によって内管が揺動するのを抑制する内管揺動抑制具、この内管揺動抑制具を用いた二重管、およびこの二重管で構築された配管システムに関する。
【背景技術】
【０００２】
近年、建物内の給水管および給湯管の配管においては、図５に示すような鞘管ヘッダー式配管システムが用いられている。
【０００３】
この鞘管ヘッダー式配管システムは、屋外からの給水管および給湯管をヘッダー（分配器）５により多数本に分配して、この分配された管を、風呂、台所、洗面所などの給水栓６などにそれぞれ接続するというものであり、また、このシステムには、鞘管に内管を挿通した二重管１が用いられる。このシステムにおける二重管１の敷設は、鞘管を壁裏、床下、スラブコンクリート内などに予め敷設し、この鞘管内に内管を挿通した後、内管の一端を給水栓６などに接続し、他端をヘッダー５に接続することにより行われる。この鞘管ヘッダー式配管システムは、壁裏や床下などで自由な配管を行うことができるため、従来から行われていた金属管による配管に比べ、施工に手間がかからず、また、内管の交換が容易なことからメンテナンスを簡単に行うことができるという利点を有している。
【０００４】
ところで、一般に内管は、給水栓６が急に開閉された場合、給水栓６付近の内管の水圧が急激に変化してしまい、その反動によって内管内を流れる水が内管の内壁に衝突して振動する、いわゆるウォーターハンマー現象を生じる。このため、二重管１を用いる鞘管ヘッダー式配管システムでは、このウォーターハンマー現象によって、可撓性の内管が鞘管内で揺動し、鞘管を内側から叩いてしまうため、衝突音が発生していた。
【０００５】
そこで、この揺動にもとづく異音を解消するため、内管に内管サポートを一定間隔で取着した二重管１の揺動防止構造が特許文献１に提案されている。
【０００６】
これは、ウォーターハンマー現象による内管の揺動を内管サポートが緩衝材となって抑制するため、内管と鞘管との衝突を防ぐことができるというものである。また、ウォーターハンマー現象によって内管が内管サポートのない部分でわずかに揺動したとしても、内管に一定間隔で取着された内管サポートによって、内管を鞘管の軸芯位置に保持し、鞘管内周面と内管外周面との間隔を一定に保つことができるため、内管が鞘管に衝突するのを防止することができる。
【特許文献１】特開平８−１５９３６０号公報
【発明の開示】
【発明が解決しようとする課題】
【０００７】
ところで、鞘管ヘッダー式配管システムにおいて、二重管１は建物内の複数箇所で曲げられながら敷設されるため（図５参照）、可撓性の鞘管は、この曲がり部分で扁平する。このような扁平部分を生じた鞘管に、上記内管サポートが取着された内管を挿通しようとすると、内管サポートの前端部分がこの扁平部分の形状に追従して変形しにくいため、内管サポートが鞘管の扁平部分を通過する際に大きな抵抗が発生し、これが挿通作業を妨げる原因となっていた。また、この内管サポートは、内管に粘着テープなどで固定されているが、上記した鞘管の曲がり部分における挿通抵抗が大きすぎる場合、挿通時に内管サポートが内管から外れたり、内管サポートが破損したりして、内管サポートが鞘管の扁平部分で滞留するおそれがあった。このような内管サポートの脱落や破損が生じると、内管は内管サポートによって支持されなくなってしまい、その結果、内管の揺動が抑制できず、内管が鞘管に衝突して異音が発生してしまうという問題があった。また、最悪の場合は、鞘管の扁平部分で滞留した内管サポートによって内管が損傷するおそれがあるといった問題もあった。
【０００８】
本発明は係る実情に鑑みてなされたもので、その目的は、ウォーターハンマー現象に起因する鞘管内での内管の揺動を抑制することができ、また、内管を鞘管内に挿通する際の抵抗を従来のものより少なくできる内管揺動抑制具、この内管揺動抑制具を用いた二重管、およびこの二重管で構築された配管システムを提供することにある。
【課題を解決するための手段】
【０００９】
上記課題を解決するため、本発明の二重管における内管揺動抑制具は、鞘管内に可撓性の内管が遊挿されてなる二重管において内管内の流体圧の急激な変化に伴うウォーターハンマー現象に起因する衝撃によって内管が揺動するのを抑制する内管揺動抑制具であって、前記内管の外周面に取着される内管取着部と、この内管取着部から突設され、前記内管と前記鞘管との間隙に撓んだ姿勢で介装される弾性部材からなる少なくとも一つの衝撃緩衝片とを備えたことを特徴とする。
【００１０】
このような本発明によると、ウォーターハンマー現象が生じて内管の揺動が誘発されようとした際、内管と鞘管との間隙に撓んだ姿勢で介装される弾性部材からなる衝撃緩衝片により内管の挙動が規制され、これにより内管の揺動が抑制され、内管が鞘管に衝突するのが防止される。
【００１１】
また、このような衝撃緩衝片は、内管取着部の外周に纏わるように変形しうることから、内管揺動防止具を取着した内管を扁平部分が生じた鞘管に挿通する際に、扁平部分の形状に容易に追従できるため、鞘管の扁平部分を通過する際の抵抗が少ない。従って、内管揺動防止具が鞘管の扁平部分で滞留してしまうことがなく、内管に対する内管揺動防止具の取着位置が所期のとおり維持されるため、内管の揺動を良好に抑制することができる。
【００１２】
また、前記衝撃緩衝片は、前記内管取着部に一対対設されるとともに、それぞれの衝撃緩衝片に固定用穴が開口されたものであってもよい。
【００１３】
この場合、各衝撃緩衝片に開口された固定用穴に、ねじや釘などの固定具を貫通することで、鞘管から露出した部分の内管を壁材や床材などに直接固定することができる。
【００１４】
また、本発明の二重管は、前記内管揺動抑制具が外周面に所定間隔を隔てて複数個取着された内管が鞘管内に遊挿されたことを特徴とする。
【００１５】
このような本発明によると、二重管は、内管揺動抑制具が外周面に所定間隔を隔てて複数個取着された内管が鞘管内に遊通されたものであるから、内管揺動抑制具によって、ウォーターハンマー現象による内管の揺動を抑制することができ、内管が鞘管に衝突するのを防ぐことができる。
【００１６】
また、本発明の配管システムは、前記二重管を用いて構築されたことを特徴とする。
【００１７】
このような本発明によると、内管が鞘管に衝突するおそれのない二重管を用いているので、内管と鞘管との衝突音のない配管システムを提供することができる。
【発明の効果】
【００１８】
本発明の内管揺動抑制具、この内管揺動抑制具を用いた二重管、およびこの二重管で構築された配管システムは、ウォーターハンマー現象に起因する鞘管内での内管の揺動を抑制することができ、また、内管を鞘管内に挿通する際の抵抗を従来のものより少なくできるといった効果を奏する。
【発明を実施するための最良の形態】
【００１９】
以下、本発明の実施の形態について、図面を参照して説明する。
【００２０】
図１および図２は、本発明の二重管の一実施形態を示す斜視図および断面図である。
【００２１】
本発明の二重管１は、内管３と、内管３の外周面に取着された内管揺動防止具４と、内管３が挿通される鞘管２とを備えている。
【００２２】
上記鞘管２としては、可撓管であれば材質を特に限定せず、例えば、ポリエチレン管などが用いられる。鞘管２は、蛇腹管とすることで、敷設の際に曲げやすく、また、その曲がり部分が扁平形状になりにくい。鞘管２は、略Ｕ字状のサドルと呼ばれる固定具７によって床材、壁材などに固定されたり（図４参照）、また、床下などのコンクリートスラブ内に埋設されたりして敷設される。
【００２３】
上記内管３としては、可撓管であれば材質を特に限定せず、例えば、ポリエチレン管、または架橋ポリエチレン管などが用いられる。内管３は、鞘管２内に挿通され、一端はヘッダー５に接続され、他端は台所、風呂などの給水栓６などに接続される。
【００２４】
上記内管揺動防止具４は、内管取着部４１と、この内管取着部４１に少なくとも１つ突設された衝撃緩衝片４２とを備える。また、内管揺動防止具４は、図１および図２（ｂ）に示すように、内管３の外周面に所定間隔を隔てて取着され、図２（ｃ）に示すように、この内管３が鞘管２内に挿通される。
【００２５】
内管揺動防止具４は、内管取着部４１と衝撃緩衝片４２とを一体的に形成したものであり、また、その材質は弾性部材であれば特に限定せず、例えば、ゴム、合成樹脂、およびスポンジなどがあげられる。また、内管揺動防止具４のうち、鞘管２の内周面に接触する部分に滑りの良い材料を被覆してもよく、これにより、内管揺動防止具４が取着された内管３を鞘管２内に挿通する際に、鞘管２と内管揺動防止具４とのとの間の摩擦を少なくすることができ、内管３の挿通を円滑に行うことができる。
【００２６】
上記内管取着部４１は、内管３の外周面に取着される部分である。内管取着部４１は、内管３の外周面に接する面に滑りにくい材料を被覆したり、また、内管３の外周面と接着したりしてもよく、これらにより、内管３を鞘管２内に挿通する際に、内管揺動防止具４が内管３の所定の位置からずれるといったことがなくなる。また、内管取着部４１には、図３に示すように、軸芯方向にスリットを設けるとともに、そのスリット部分の各端縁に、各端縁同士を係合させる係合機構４３を設けるとよい。これにより、図３（ａ）に示すように、内管取着部４１をスリットから拡開させることができ、図３（ｂ）および（ｃ）に示すように、内管揺動防止具４を内管３に容易に取着することができる。
【００２７】
上記衝撃緩衝片４２は、内管取着部４１に突設され、内管３と鞘管２との間隙に撓んだ姿勢で介装されるものである。衝撃緩衝片４２は、内管取着部４１に少なくとも１つ設けていればよいが、内管取着部４１に一対対設させることで、鞘管２の軸芯位置で内管３を支持させることが容易になる。このような内管揺動防止具４を内管３の外周面に所定間隔を隔てて複数個取着することで、内管３の内管揺動防止具４の取着されていない部分では、内管３が鞘管２の軸芯位置で支持され、内管３と鞘管２とに一定の間隙が保持されるため、内管３が揺動しても、内管３が鞘管２に衝突するといったことがない。
【００２８】
また、衝撃緩衝片４２は、内管３と鞘管２との間隙に撓んだ姿勢で介装されるため、弾性部材からなる衝撃緩衝片４２の復元力によって、内管３の揺動を効率よく抑制することができる。また、このような衝撃緩衝片４２は、内管取着部４１の外周に纏わるように変形しうることから、内管揺動防止具４を取着した内管３を扁平部分が生じた鞘管２に挿通する際に、扁平部分の形状に容易に追従できるため、鞘管２の扁平部分を通過する際の抵抗が少ない。従って、内管揺動防止具４が鞘管２の扁平部分で滞留してしまうことがなく、内管３に対する内管揺動防止具４の取着位置が所期のとおり維持されるため、内管３の揺動を良好に抑制することができる。
【００２９】
また、衝撃緩衝片４２は、先端の各角を面取りするとよく、そうすることにより、内管揺動防止具４を取着した内管３を鞘管２内に挿通する際に抵抗を少なくすることができる。
【００３０】
図４は、本発明における内管揺動防止具４の他の用途を示したものである。
【００３１】
この内管揺動防止具４は、内管取着部４１に衝撃緩衝片４２が一対対設されるとともに、それぞれの衝撃緩衝片４２に固定用穴４４が開口されることで、内管揺動防止具４を、固定具４６によって、壁などに確実に固定することができる構造となっている。従って、内管３にこの内管揺動防止具４を取着することで、鞘管２から露出した内管３を、内管揺動防止具４を介して、壁などに直接固定することができ、サドルとして流用することができる。
【図面の簡単な説明】
【００３２】
【図１】本発明における二重管を示す斜視図である。
【図２】本発明における二重管を示す断面図である。
【図３】本発明における係合機構が設けられた内管揺動防止具を示す正面図である。
【図４】本発明における内管揺動防止具の他の用途を示す斜視図である。
【図５】鞘管ヘッダー式配管システムを示す概略図である。
【符号の説明】
【００３３】
１        二重管
２        鞘管
３        内管
４        内管揺動防止具
４１      内管取着部
４２      衝撃緩衝片
４３      係合機構
４４      固定用穴
【図１】
2007051728.tif 000003
【図２】
2007051728.tif 000004
【図３】
2007051728.tif 000005
【図４】
2007051728.tif 000006
【図５】
2007051728.tif 000007